(57)【要約】【課題】内側シャフトが形成する基端開口部付近に破断が生じるのを防止できるバルーンカテーテル、および医療用長尺体の製造方法を提供する。【解決手段】バルーンカテーテル１０が備える内側シャフト１４０は、先端側が外側先端シャフト１２０の内腔に配置され、かつ、基端側が外側基端シャフト１３０の外表面に配置されており、内側シャフト１４０は、外側基端シャフト１３０の外表面側で開口する基端開口部１０５を形成し、外側基端シャフトの外表面に配置された外側先端の基端１２３から基端開口部までの範囲において、第１領域１５０Ａと、第１領域の基端側に配置された第２領域１５０Ｂと、を有しており、第１領域は、外側基端シャフトの外表面に固定されており、第２領域は、外側基端シャフトの外表面に固定されていない。【選択図】図３
2018181315.tif 000002
【特許請求の範囲】
【請求項１】
内側シャフトと、
前記内側シャフトの一部を覆う外側シャフトと、
前記内側シャフトと前記外側シャフトに固定されたバルーンと、を備え、
前記外側シャフトは、内腔を有する外側先端シャフトと、前記外側先端シャフトの基端側に固定され、かつ、前記外側先端シャフトの内腔と連通する内腔を有する外側基端シャフトと、を有し、
前記内側シャフトは、先端側が前記外側先端シャフトの内腔に配置され、かつ、基端側が前記外側基端シャフトの外表面に配置されており、当該内側シャフトは、前記外側基端シャフトの外表面側で開口する基端開口部を形成し、
前記内側シャフトは、前記外側基端シャフトの外表面に配置された前記外側先端シャフトの基端から前記基端開口部までの範囲において、第１領域と、前記第１領域の基端側に配置された第２領域と、を有し、
前記第１領域は、前記外側基端シャフトの外表面に固定されており、
前記第２領域は、前記外側基端シャフトの外表面に固定されていない、バルーンカテーテル。
【請求項２】
前記内側シャフトは、前記第１領域から前記第２領域に向かって傾斜する傾斜部を有し、
前記基端開口部は、前記傾斜部に形成される、請求項１に記載のバルーンカテーテル。
【請求項３】
前記基端開口部は、前記外側基端シャフトの外表面と面する前記第２領域の位置に未固定部を有し、
前記未固定部は、前記基端開口部の周縁部において、平坦部を形成する、請求項１または請求項２に記載のバルーンカテーテル。
【請求項４】
前記平坦部の肉厚は、先端側から基端側に向かって減少する、請求項３に記載のバルーンカテーテル。
【請求項５】
前記基端開口部は、前記内側シャフトの内腔を挟んで前記未固定部と対向する対向部と、前記未固定部と前記対向部を繋ぐ方向と交差する位置に側壁部と、を備え、
前記側壁部は、前記対向部から前記平坦部に向かって肉厚が増加する、請求項３または請求項４に記載のバルーンカテーテル。
【請求項６】
前記傾斜部の前記第２領域の軸方向の長さは、前記内側シャフトの軸方向の断面において、前記傾斜部の前記第１領域の軸方向の長さよりも短い、請求項２に記載のバルーンカテーテル。
【請求項７】
前記外側先端シャフトは、所定の外径で形成された大径部を有し、
前記第１領域および前記第２領域に対応する部分で前記外側シャフトおよび前記内側シャフトが形成する外径は、前記大径部の外径よりも小さい、請求項１〜６のいずれか１項に記載のバルーンカテーテル。
【請求項８】
外側先端シャフトと、外側基端シャフトと、内側シャフトと、前記内側シャフトの内腔に配置する第１マンドレルと、前記外側先端シャフトの内腔および前記外側基端シャフトの内腔に配置される第２マンドレルと、を供給し、
前記外側先端シャフトの内腔に前記内側シャフトを配置し、
前記内側シャフトの内腔に前記第１マンドレルを挿入し、
前記内側シャフトの先端側が前記外側先端シャフトの内腔に配置され、かつ、前記内側シャフトの基端側が前記外側基端シャフトの外表面に配置されるように前記外側基端シャフトを配置し、
前記外側先端シャフトの内腔および前記外側基端シャフトの内腔に前記第２マンドレルを挿入し、
前記外側先端シャフトの基端、前記外側基端シャフトの先端、前記内側シャフトを覆うように熱収縮チューブを配置し、
前記熱収縮チューブの基端は、前記内側シャフトの基端よりも先端側に位置し、
前記熱収縮チューブに熱を付与して収縮させ、前記内側シャフトの基端に前記熱収縮チューブによる融着を施さない状態で、前記外側先端シャフトと前記外側基端シャフトと前記内側シャフトとを融着する、ことを含む医療用長尺体の製造方法。
【請求項９】
前記外側先端シャフトと前記外側基端シャフトと前記内側シャフトとを融着した後、前記内側シャフトは、前記内側シャフトの一部を覆う外側シャフトの外表面に配置された前記外側先端シャフトの基端から前記内側シャフトの基端までの範囲において、前記内側シャフトと前記外側基端シャフトが融着された第１領域と、前記第１領域の基端側に配置され、前記内側シャフトと前記外側基端シャフトが融着されていない第２領域と、を有し、
前記内側シャフトの基端部を前記第１領域および前記第２領域に亘って斜めに切断し、前記第１領域から前記第２領域に向かって傾斜する傾斜部を形成する、請求項８に記載の医療用長尺体の製造方法。
【請求項１０】
前記内側シャフトの基端部を切断する前に、前記内側シャフトの内腔から前記第１マンドレルを抜去することを含む、請求項９に記載の医療用長尺体の製造方法。
【請求項１１】
前記傾斜部を形成する際、前記内側シャフトの軸方向の断面において、前記傾斜部の第２領域の軸方向の長さが前記傾斜部の第１領域の軸方向の長さよりも短くなるように前記内側シャフトを切断する、請求項９または請求項１０に記載の医療用長尺体の製造方法。
【発明の詳細な説明】
【技術分野】
【０００１】
本発明は、バルーンカテーテル、および医療用長尺体の製造方法に関する。
【背景技術】
【０００２】
血管等の生体管腔に形成された狭窄部等の病変部を拡張する医療装置としてバルーンカテーテルが広く知られている。バルーンカテーテルには、一般的に、オーバー・ザ・ワイヤタイプと呼ばれるものと、ラピッド・エクスチェンジタイプと呼ばれるものが存在する。【０００３】
下記特許文献１に記載されているように、ラピッド・エクスチェンジタイプのバルーンカテーテルは、バルーンが配置されたカテーテルシャフトの先端側のみにガイドワイヤが挿通されるガイドワイヤルーメンが形成されている。このため、カテーテルシャフトの軸方向（長手方向）の先端側の所定位置には、ガイドワイヤルーメンへのガイドワイヤの出し入れを可能にするガイドワイヤポート（基端開口部）が設けられている。【０００４】
ラピッド・エクスチェンジタイプのバルーンカテーテルに用いられるカテーテルシャフトは、カテーテルシャフトを構成する外側先端シャフト、外側基端シャフト、および内側シャフトを相互に熱融着して一体化し、内側シャフトの基端部付近にガイドワイヤポートを形成している。なお、外側先端シャフトおよび外側基端シャフトは、バルーン拡張用の加圧媒体（作動流体）を流通させる拡張ルーメンを形成するチューブ状の部材である。内側シャフトは、ガイドワイヤルーメンを形成する内腔を備えるチューブ状の部材である。
【先行技術文献】
【特許文献】
【０００５】
【特許文献１】特開２０１５−９３１７３号
【発明の概要】
【発明が解決しようとする課題】
【０００６】
医師等の術者は、バルーンカテーテルを使用した手技において、血管に形成された狭窄部等の病変部にガイドワイヤを挿通させる。術者は、ガイドワイヤの基端側を内側シャフトの先端側からガイドワイヤルーメンに挿入し、内側シャフトの基端側のガイドワイヤポートを介して、ガイドワイヤをガイドワイヤルーメンから導出させる。そして、術者は、ガイドワイヤに沿わせてバルーンカテーテルを移動させることにより、バルーンカテーテルのバルーンを病変部まで案内する。【０００７】
術者は、手技の最中、バルーンカテーテルのガイドワイヤルーメンにガイドワイヤを挿通した状態でガイドワイヤを基端側や先端側へ移動させたり、ガイドワイヤを内側シャフトの基端開口部から取り出したりする。術者がこれらの操作を行う際に、内側シャフトのガイドワイヤポート付近に過剰な応力集中が発生すると、バルーンカテーテルの内側シャフトが破断してしまう可能性がある。そして、ガイドワイヤが内側シャフトの破断した部分（引き裂かれた部分）に挟み込まれると、術者は、ガイドワイヤを円滑に移動させることが困難になるため、ガイドワイヤの操作性が著しく低下する。【０００８】
本発明は上記課題に鑑みてなされたものであり、内側シャフトが形成する基端開口部付近が破断することを防止できるバルーンカテーテル、および医療用長尺体の製造方法を提供することを目的とする。
【課題を解決するための手段】
【０００９】
本発明に係るバルーンカテーテルは、内側シャフトと、前記内側シャフトの一部を覆う外側シャフトと、前記内側シャフトと前記外側シャフトに固定されたバルーンと、を備え、前記外側シャフトは、内腔を有する外側先端シャフトと、前記外側先端シャフトの基端側に固定され、かつ、前記外側先端シャフトの内腔と連通する内腔を有する外側基端シャフトと、を有し、前記内側シャフトは、先端側が前記外側先端シャフトの内腔に配置され、かつ、基端側が前記外側基端シャフトの外表面に配置されており、当該内側シャフトは、前記外側基端シャフトの外表面側で開口する基端開口部を形成し、前記内側シャフトは、前記外側基端シャフトの外表面に配置された前記外側先端シャフトの基端から前記基端開口部までの範囲において、第１領域と、前記第１領域の基端側に配置された第２領域と、を有し、前記第１領域は、前記外側基端シャフトの外表面に固定されており、前記第２領域は、前記外側基端シャフトの外表面に固定されていない。【００１０】
また、本発明に係る医療用長尺体の製造方法は、外側先端シャフトと、外側基端シャフトと、内側シャフトと、前記内側シャフトの内腔に配置する第１マンドレルと、前記外側先端シャフトおよび前記外側基端シャフトの内腔に配置される第２マンドレルと、を供給し、前記外側先端シャフトの内腔に前記内側シャフトを配置し、前記内側シャフトの内腔に前記第１マンドレルを挿入し、前記内側シャフトの先端側が前記外側先端シャフトの内腔に配置され、かつ、前記内側シャフトの基端側が前記外側基端シャフトの外表面に配置されるように前記外側基端シャフトを配置し、前記外側先端シャフトの内腔および前記外側基端シャフトの内腔に前記第２マンドレルを挿入し、前記外側先端シャフトの基端、前記外側基端シャフトの先端、前記内側シャフトを覆うように熱収縮チューブを配置し、前記熱収縮チューブの基端は、前記内側シャフトの基端よりも先端側に位置し、前記熱収縮チューブに熱を付与して収縮させ、前記内側シャフトの基端に前記熱収縮チューブによる融着を施さない状態で、前記外側先端シャフトと前記外側基端シャフトと前記内側シャフトとを融着する、ことを含む。
【発明の効果】
【００１１】
上記のように構成したバルーンカテーテルは、内側シャフトの基端側に位置する第２領域が外側基端シャフトの外表面に固定されていないため、ガイドワイヤを内側シャフトの基端開口部から取り出す際などに基端開口部付近に応力集中が発生するのを防止できる。これにより、バルーンカテーテルは、内側シャフトに破断が生じることを防止でき、内側シャフトの破断に伴ってガイドワイヤの操作性が低下することを防止できる。また、バルーンカテーテルは、内側シャフトの基端側に位置する第２領域が外側基端シャフトの外表面に固定されていないため、バルーンカテーテルが湾曲した血管等の生体管腔に送達される際、第２領域がガイドワイヤに追従するように容易に変形する。これにより、バルーンカテーテルは、ガイドワイヤに対する内側シャフトの追従性が向上する。【００１２】
上記の医療用長尺体の製造方法は、内側シャフトと外側シャフトを融着する際、内側シャフトの基端には熱収縮チューブによる融着が施されないため、内側シャフトの基端が外側基端シャフトの外表面に固定されない。これにより、上記製造方法により製造される医療用長尺体は、ガイドワイヤを内側シャフトの基端開口部から取り出す際などに、内側シャフトの基端付近に応力集中が発生することを防止できる。また、上記製造方法により製造される医療用長尺体は、湾曲した血管等の生体管腔に送達される際、内側シャフトの基端付近がガイドワイヤに追従するように容易に変形するため、ガイドワイヤに対する内側シャフトの追従性が向上する。
【図面の簡単な説明】
【００１３】
【図１】実施形態に係るバルーンカテーテルを示す図である。
【図２】図２（Ａ）は、図１において破線部２Ａで囲んだ部分の拡大断面図であり、図２（Ｂ）は、図１において破線部２Ｂで囲んだ部分の拡大断面図である。
【図３】図２（Ｂ）において破線部３Ａで囲んだ部分を拡大して示す図である。
【図４】図３において矢印４Ａで示す方向から見た内側シャフトの矢視図である。
【図５】図５は、実施形態に係る医療用長尺体の製造方法を説明するための図であり、図５（Ａ）は、内側シャフトを外側先端シャフトに軸方向に重ねて配置した状態を示す断面図、図５（Ｂ）は、第１マンドレルを内側シャフトに挿入した状態を示す断面図、図５（Ｃ）は、外側先端シャフトの内腔に外側基端シャフトを挿入した状態を示す断面図である。
【図６】図６は、実施形態に係る医療用長尺体の製造方法を説明するための図であり、図６（Ａ）は、外側先端シャフトの内腔および外側基端シャフトの内腔に第２マンドレルを挿入した状態を示す断面図、図６（Ｂ）は、熱収縮チューブを配置した状態を示す断面図、図６（Ｃ）は、融着後の外側先端シャフト、外側基端シャフト、および内側シャフトを示す断面図である。
【図７】図６（Ｃ）において破線部７Ａで囲んだ部分の拡大断面図であり、内側シャフトの切断位置を説明するための図である。
【００１４】
図１に示すように、本実施形態に係るバルーンカテーテル１０は、シャフト１００の先端側に配置されたバルーン１６０を生体管腔に形成された狭窄部等の病変部において拡張させることにより、病変部を押し広げて治療する医療装置である。【００１５】
バルーンカテーテル１０は、冠動脈の狭窄部を広げるために使用されるＰＴＣＡ治療用バルーンカテーテルとして構成している。ただし、バルーンカテーテル１０は、例えば、他の血管、胆管、気管、食道、その他消化管、尿道、耳鼻内腔、その他の臓器等の生体器官内に形成された狭窄部等の病変部位の治療を目的としたバルーンカテーテルとして構成することもできる。【００１６】
以下、バルーンカテーテル１０について説明する。【００１７】
図１に示すように、バルーンカテーテル１０は、長尺状のシャフト（「医療用長尺体」に相当する）１００と、シャフト１００の先端側に配置されたバルーン１６０と、シャフト１００の基端側に配置されたハブ１９０と、を有している。【００１８】
実施形態の説明において、バルーン１６０を配置した側をバルーンカテーテル１０の先端側とし、ハブ１９０を配置した側をバルーンカテーテル１０の基端側とし、シャフト１００が延伸する方向を軸方向とする。また、実施形態の説明において、先端部とは、先端（最先端）およびその周辺を含む一定の範囲を意味し、基端部とは、基端（最基端）およびその周辺を含む一定の範囲を意味する。【００１９】
図１に示すように、バルーンカテーテル１０は、シャフト１００の先端側寄りにガイドワイヤ２００が出入り可能な基端開口部（ガイドワイヤポート）１０５が形成された、いわゆるラピッドエクスチェンジ型のカテーテルとして構成している。【００２０】
図２（Ａ）および図２（Ｂ）に示すように、シャフト１００は、内腔（拡張ルーメン）１１５を備える外側シャフト１１０と、外側シャフト１１０の内腔１１５に配置され、かつ、ガイドワイヤ２００が挿通される内腔（ガイドワイヤルーメン）１４５を備える内側シャフト１４０と、を有している。【００２１】
図１および図２（Ｂ）に示すように、シャフト１００は、内側シャフト１４０の内腔１４５に連通する基端開口部（「内側シャフトの基端開口部」に相当する）１０５を有している。基端開口部１０５は、内側シャフト１４０の基端付近に形成している。【００２２】
図２（Ｂ）に示すように、外側シャフト１１０は、外側先端シャフト１２０と、外側先端シャフト１２０の基端側に固定された外側基端シャフト１３０と、を有している。【００２３】
外側先端シャフト１２０は、軸方向に延びる内腔１２５が形成された管状部材で形成している。同様に、外側基端シャフト１３０は、軸方向に延びる内腔１３５が形成された管状部材で形成している。【００２４】
外側先端シャフト１２０および外側基端シャフト１３０は、シャフト１００の基端開口部１０５付近において内側シャフト１４０と一体的に接続（融着）している。【００２５】
図２（Ｂ）に示すように、外側先端シャフト１２０の内腔１２５と外側基端シャフト１３０の内腔１３５は互いに連通している。また、外側先端シャフト１２０の内腔１２５と外側基端シャフト１３０の内腔１３５は互いに連通した状態で、バルーン１６０の拡張空間１６７と連通する内腔（拡張ルーメン）１１５を形成している。【００２６】
外側先端シャフト１２０および外側基端シャフト１３０は、例えば、ポリエチレン、ポリプロピレン、エチレン−プロピレン共重合体、エチレン−酢酸ビニル共重合体等のポリオレフィン、軟質ポリ塩化ビニル等の熱可塑性樹脂、ポリウレタンエラストマー、ポリアミドエラストマー、ポリエステルエラストマー等の各種エラストマー、ポリアミド、結晶性ポリエチレン、結晶性ポリプロピレン等の結晶性プラスチック等で形成できる。【００２７】
図２（Ａ）に示すように、内側シャフト１４０の先端側は、外側先端シャフト１２０の内腔１２５に配置している。内側シャフト１４０の先端側の一定の範囲は、外側先端シャフト１２０の先端側へ突出するように配置されている。【００２８】
また、図２（Ｂ）に示すように、内側シャフト１４０は、内側シャフト１４０の基端側が外側基端シャフト１３０の外表面に配置されている。内側シャフト１４０は、その基端側で外側基端シャフト１３０の外表面で開口する基端開口部１０５を形成している。なお、内側シャフト１４０の基端側には、後述する第１領域１５０Ａおよび第２領域１５０Ｂが形成されている。【００２９】
図２（Ａ）に示すように、内側シャフト１４０は、先端側に配置された先端部材１８０を有している。先端部材１８０は、ガイドワイヤ２００を挿通可能な内腔１８１を有している。【００３０】
内側シャフト１４０は、先端側に先端部材１８０を備えることにより、バルーンカテーテル１０の先端が生体管腔（血管の内壁等）に接触した際に、生体器官に損傷が生じるのを防止する。先端部材１８０は、例えば、柔軟な樹脂材料で形成できる。ただし、先端部材１８０の材質は、内側シャフト１４０に対して固定が可能なものであれば特に限定されない。【００３１】
図２（Ａ）に示すように、内側シャフト１４０の内腔１４５は、内側シャフト１４０の先端側で先端部材１８０の内腔１８１と連通している。また、図２（Ｂ）に示すように、内側シャフト１４０の内腔１４５は、内側シャフト１４０の基端側で基端開口部１０５と連通している。【００３２】
内側シャフト１４０は、例えば、外側シャフト１１０の構成材料として例示したものと同様の材料で形成できる。【００３３】
図２（Ａ）に示すように、バルーン１６０は、内側シャフト１４０の先端部に固定された先端部１６１と、外側シャフト１１０の先端部（外側先端シャフト１２０の先端部）に固定された基端部１６３と、バルーン１６０の先端部１６１とバルーン１６０の基端部１６３との間に形成された最大外径部を形成する中間部１６６と、を有している。また、バルーン１６０は、バルーン１６０の先端部１６１とバルーン１６０の中間部１６６との間に形成された先端側テーパー部１６４と、バルーン１６０の基端部１６３とバルーン１６０の中間部１６６との間に形成された基端側テーパー部１６５と、を有している。【００３４】
バルーン１６０は、シャフト１００の外周面との間に、外側シャフト１１０の内腔１１５と連通する拡張空間１６７を形成している。バルーン１６０は、拡張空間１６７内に流体が流入すると、バルーン１６０の軸方向と交差する放射方向へ拡張する。【００３５】
バルーン１６０は、例えば、ポリエチレン、ポリプロピレン、エチレン−プロピレン共重合体のポリオレフィン、ポリエチレンテレフタレート等のポリエステル、ポリ塩化ビニル、エチレン−酢酸ビニル共重合体、架橋型エチレン−酢酸ビニル共重合体、ポリウレタン等の熱可塑性樹脂、ポリアミド、ポリアミドエラストマー、ポリスチレンエラストマー、シリコーンゴム、ラテックスゴム等で形成できる。【００３６】
図２（Ａ）に示すように、内側シャフト１４０は、バルーン１６０の中間部１６６の軸方向の略中心位置を示す造影マーカー１７０を有している。造影マーカー１７０は、例えば、白金、金、銀、イリジウム、チタン、タングステン等の金属、またはこれらの合金等により形成できる。なお、造影マーカー１７０は、内側シャフト１４０において先端側テーパー部１６４と中間部１６６との間の境界部を示す位置、および、内側シャフト１４０において基端側テーパー部１６５と中間部１６６との間の境界部を示す位置に配置してもよい。【００３７】
図１に示すように、ハブ１９０は、流体（例えば、造影剤や生理食塩水）を供給するためのインデフレーター等の供給装置（図示省略）と液密・気密に接続可能なポート１９１を有している。ハブ１９０のポート１９１は、例えば、チューブ等が接続・分離可能に構成された公知のルアーテーパー等によって構成できる。【００３８】
次に、内側シャフト１４０について詳述する。【００３９】
図２（Ｂ）および図３に示すように、内側シャフト１４０は、第１領域１５０Ａと、第１領域１５０Ａの基端側に配置された第２領域１５０Ｂと、を有している。なお、図３は、図２（Ｂ）に示す破線で囲んだ３Ａ部分の拡大断面図（内側シャフト１４０の軸方向の拡大断面図）である。【００４０】
図３に示すように、第１領域１５０Ａは、外側先端シャフト１２０の基端１２３から内側シャフト１４０の基端開口部１０５までの範囲（外側先端シャフト１２０の基端１２３から内側シャフト１４０の基端開口部１０５の基端までを含む軸方向の範囲）において、内側シャフト１４０と外側基端シャフト１３０が固定（融着）された領域である。また、第２領域１５０Ｂは、外側先端シャフト１２０の基端１２３から内側シャフト１４０の基端開口部１０５までの範囲において、内側シャフト１４０と外側基端シャフト１３０が固定（融着）されていない領域である。【００４１】
後述するシャフト１００の製造方法で説明するように、第１領域１５０Ａは、各シャフト１２０、１３０、１４０を融着する際、内側シャフト１４０において熱収縮チューブ４００が配置された領域に形成される。また、第２領域１５０Ｂは、内側シャフト１４０において熱収縮チューブ４００が配置された領域よりも基端側に離れた領域に形成される（図６（Ｂ）および図６（Ｃ）を参照）。【００４２】
図３に示すように、内側シャフト１４０は、第１領域１５０Ａから第２領域１５０Ｂに向かって傾斜する傾斜部１４６を有している。また、内側シャフト１４０の基端開口部１０５は、傾斜部１４６に形成している。【００４３】
図３に示すように、内側シャフト１４０の基端開口部１０５は、内側シャフト１４０の軸方向の断面において、内側シャフト１４０の基端側から先端側に向かって傾斜している。基端開口部１０５は、傾斜部１４６に形成されることにより、傾斜部１４６と同一平面上に配置されている。【００４４】
なお、傾斜部１４６が軸方向に対して傾斜する傾斜角度は特に限定されない。また、基端開口部１０５は、傾斜部１４６に形成せずに、例えば、内側シャフト１４０の軸方向に対して略垂直に開口するように形成してもよい。【００４５】
図３および図４に示すように、内側シャフト１４０の基端開口部１０５は、外側基端シャフト１３０の外表面と面する第２領域１５０Ｂの位置に、未固定部１４７を有している。なお、図４は、図３に示す矢印４Ａ方向から見た内側シャフト１４０の矢視図である。【００４６】
未固定部１４７は、基端開口部１０５の周縁部１０５ａの基端部に形成している。また、未固定部１４７は、基端開口部１０５の周縁部１０５ａにおいて、平坦部１４７ａを形成している。【００４７】
平坦部１４７ａは、図４に示す矢視図において、内側シャフト１４０の内表面と連なるように、基端開口部１０５の周縁部１０５ａの基端およびその周辺部で形成される。平坦部１４７ａは、後述する対向部１４８（基端開口部１０５の周縁部１０５ａの先端およびその周辺部で形成される領域）よりも内側シャフト１４０の軸方向に沿う幅Ｗ１が長く、かつ、後述する対向部１４８（基端開口部１０５の周縁部１０５ａの先端およびその周辺部で形成される領域）よりも内側シャフト１４０の軸方向に直交する方向の距離Ｌ１が長くなるように形成される。これにより、平坦部１４７ａは、基端開口部１０５の周縁部１０５ａのうち、内側シャフト１４０の肉厚が大きく、かつ、内側シャフト１４０の周方向に長い領域で形成されるため、内側シャフト１４０の内腔１４５に挿通されたガイドワイヤに沿わせることで未固定部１４７が過度に屈曲した場合であっても、未固定部１４７が屈曲することを抑制し、術者のガイドワイヤの操作性を向上させることができる。平坦部１４７ａは、後述するように、内側シャフト１４０に基端開口部１０５および傾斜部１４６を形成する際、内側シャフト１４０の切断角度（切断方向）を調整して、基端開口部１０５の周縁部１０５ａの基端を切除することで形成できる（図７を参照）。【００４８】
図３に示すように、平坦部１４７ａの肉厚ｔ１は、軸方向の先端側から基端側に向かって減少するように形成している。平坦部１４７ａの肉厚ｔ１は、傾斜部１４６の傾斜方向に沿って基端側に向けて徐々に減少し、基端開口部１０５の周縁部１０５ａの基端で最小となる。【００４９】
図４に示すように、基端開口部１０５は、内側シャフト１４０の内腔１４５（または基端開口部１０５）を挟んで未固定部１４７と対向する対向部１４８と、未固定部１４７と対向部１４８を繋ぐ方向（図４の左右方向）と交差する位置に一対の側壁部１４９ａ、１４９ｂと、を備えている。【００５０】
基端開口部１０５は、図３および図４に示すように、対向部１４８から平坦部１４７ａに向かって、各側壁部１４９ａ、１４９ｂの肉厚が増加している。そのため、基端開口部１０５は、図４に示すように、対向部１４８から平坦部１４７ａに向かって、各側壁部１４９ａ、１４９ｂの幅Ｗ２（図４を参照）が増加している。【００５１】
後述するように、対向部１４８は、各シャフト１２０、１３０、１４０を融着する際、熱収縮チューブ４００で覆われた部分に形成される。また、各側壁部１４９ａ、１４９ｂの少なくとも一部は、各シャフト１２０、１３０、１４０を融着する際、熱収縮チューブ４００の基端４０３よりも基端側に配置される（図６（Ｃ）を参照）。ここで、熱収縮チューブ４００に付与した熱の影響は、熱収縮チューブ４００の基端４０３よりも基端側の一定の範囲まで及ぶ。このため、内側シャフト１４０において各側壁部１４９ａ、１４９ｂが形成される部分は、熱収縮チューブ４００に付与した熱の影響を比較的大きく受ける先端側から熱の影響をさほど受けない基端側に向けて、融着後の肉厚および幅Ｗ２が大きくなる。したがって、図３および図４に示すように、基端開口部１０５は、対向部１４８から平坦部１４７ａに向かって肉厚および幅Ｗ２が増加するように形成される。【００５２】
図３に示すように、傾斜部１４６の第２領域１５０Ｂの軸方向の長さＬ２は、内側シャフト１４０の軸方向の断面において、傾斜部１４６の第１領域１５０Ａの軸方向の長さＬ３よりも短くなっている。【００５３】
傾斜部１４６の第２領域１５０Ｂの軸方向の長さは、例えば、０．１ｍｍ〜０．５ｍｍに形成でき、傾斜部１４６の第１領域１５０Ａの軸方向の長さは、例えば、０．４ｍｍ〜２．５ｍｍに形成できる。【００５４】
図２に示すように、外側先端シャフト１２０は、所定の外径Ｄ１で形成された大径部１２６を有している。また、第１領域１５０Ａおよび第２領域１５０Ｂに対応する部分で外側シャフト１１０および内側シャフト１４０が形成する外径（第１領域１５０Ａおよび第２領域１５０Ｂに対応する部分で外側シャフト１１０および内側シャフト１４０が形成する最大外径）Ｄ２は、大径部１２６の外径Ｄ１よりも小さくなっている。【００５５】
後述するように、各シャフト１２０、１３０、１４０を融着する際（図６（Ｂ）を参照）、各シャフト１２０、１３０、１４０は熱収縮チューブ４００で所定の範囲が覆われる。この状態で各シャフト１２０、１３０、１４０に熱を付与すると、各シャフト１２０、１３０、１４０は熱収縮チューブ４００で覆われた範囲が放射方向内方（シャフト１００の内側に向かう方向）に収縮する。この際、外側先端シャフト１２０の熱の影響が及ばない範囲は、融着前後において外径を維持する。そして、図２（Ｂ）に示すように、融着前後において外側先端シャフト１２０の外径が維持された部分は、大径部１２６を形成する。各シャフト１２０、１３０、１４０の融着後に外径が小さくなった部分、つまり各シャフト１２０、１３０、１４０を融着する際に熱収縮チューブ４００で被覆され部分は、大径部１２６よりも外径が小さい小径部１２７を形成する。また、大径部１２６と小径部１２７の間には、熱収縮チューブ４００に付与した熱の影響で小径部１２７から大径部１２６に向けて外径が徐々に大きくなる境界部１２８が形成される。【００５６】
次に、図５〜図７を参照して、シャフト（医療用長尺体）１００の製造方法を説明する。【００５７】
まず、シャフト１００を製造する作業者は、外側先端シャフト１２０と、外側基端シャフト１３０と、内側シャフト１４０と、内側シャフト１４０の内腔１４５に配置する第１マンドレル３１０と、外側先端シャフト１２０の内腔１２５および外側基端シャフト１３０の内腔１３５に配置する第２マンドレル３２０と、を供給（準備）する。【００５８】
作業者は、外側先端シャフト１２０として、例えば、外径および内径が軸方向に略一定に形成された管状部材を準備する。また、作業者は、外側基端シャフト１３０として、例えば、先端が先端側から基端側へ向けて斜めに傾斜し、先端以外の部分が軸方向に略一定の外径および内径を有する管状部材を準備する。また、作業者は、内側シャフト１４０として、例えば、外径および内径が軸方向に略一定に形成され、かつ、基端１４３には開口部１４３ａが形成された管状部材を準備する（各シャフト１２０、１３０、１４０の形状例は図５（Ｃ）を参照）。【００５９】
作業者は、第１マンドレル３１０および第２マンドレル３２０として、例えば、軸方向に略直線状に延伸した公知のものを用いることができる。【００６０】
作業者は、図５（Ａ）に示すように、外側先端シャフト１２０の内腔１２５に内側シャフト１４０を配置する。この際、作業者は、内側シャフト１４０は、外側先端シャフト１２０の基端１２３から内側シャフト１４０の基端側が所定の範囲だけ突出するように配置する。【００６１】
次に、作業者は、図５（Ｂ）に示すように、内側シャフト１４０の内腔１４５に第１マンドレル３１０を挿入する。第１マンドレル３１０は、内側シャフト１４０の開口部１４３ａから第１マンドレル３１０の基端側が突出するように配置する。【００６２】
次に、作業者は、図５（Ｃ）に示すように、内側シャフト１４０の先端側が外側先端シャフト１２０の内腔１２５に配置され、かつ、内側シャフト１４０の基端側が外側基端シャフト１３０の外表面に配置されるように、外側基端シャフト１３０を配置する。【００６３】
次に、作業者は、図６（Ａ）に示すように、外側先端シャフト１２０の内腔１２５および外側基端シャフト１３０の内腔１３５に第２マンドレル３２０を挿入する。【００６４】
なお、作業者は、外側先端シャフト１２０の内腔１２５に内側シャフト１４０を配置する作業、第１マンドレル３１０を内側シャフト１４０に配置する作業、外側先端シャフト１２０に外側基端シャフト１３０を配置する作業、第２マンドレル３２０を外側先端シャフト１２０の内腔１２５および外側基端シャフト１３０の内腔１３５に挿入する作業を順不同で行うことができる。【００６５】
次に、作業者は、図６（Ｂ）に示すように、外側先端シャフト１２０の基端１２３、外側基端シャフト１３０の先端１３１、内側シャフト１４０を覆うように熱収縮チューブ４００を配置する。この際、作業者は、熱収縮チューブ４００の基端４０３を内側シャフト１４０の基端１４３よりも軸方向の先端側に配置し、熱収縮チューブ４００の先端４０１を外側先端シャフト１２０の基端１２３および外側基端シャフト１３０の先端１３１よりも軸方向の先端側に配置する。【００６６】
作業者は、熱収縮チューブ４００として、例えば、ポリオレフィンなどにより構成された中空状の筒部材を用いることができる。【００６７】
次に、作業者は、熱収縮チューブ４００に熱を付与して収縮させ、内側シャフト１４０の基端１４３に熱収縮チューブ４００による融着を施さない状態で、外側先端シャフト１２０と、外側基端シャフト１３０と、内側シャフト１４０を融着する。熱収縮チューブ４００は、加熱されると収縮し、加熱前の熱収縮チューブ４００の内径よりも加熱後の熱収縮チューブ４００の内径が小さくなるように変形する。【００６８】
作業者は、熱収縮チューブ４００を収縮させて各シャフト１２０、１３０、１４０を融着することにより、図６（Ｃ）に示すように、内側シャフト１４０に第１領域１５０Ａと第２領域１５０Ｂを形成する。【００６９】
図６（Ｃ）に示すように、熱収縮チューブ４００の基端４０３よりも基端側に位置する第１領域１５０Ａは、各シャフト１２０、１３０、１４０を融着する際に熱収縮チューブ４００に付与した熱の影響で肉厚が先端側から基端側へ向けて徐々に大きくなる断面形状となる。また、内側シャフト１４０の基端１４３付近は、熱収縮チューブ４００に付与した熱の影響をほとんど受けないため、融着前後においてほぼ一定の肉厚を維持する。【００７０】
外側基端シャフト１３０は、内側シャフト１４０と同様に、熱収縮チューブ４００の基端４０３付近に位置する部分の肉厚が熱収縮チューブ４００に付与した熱の影響で先端側から基端側へ向けて徐々に大きくなる断面形状となる。また、外側基端シャフト１３０は、熱収縮チューブ４００の基端４０３から一定の距離だけ基端側に離れた部分では融着前後においてほぼ一定の肉厚を維持する。【００７１】
図６（Ｃ）に示すように、外側先端シャフト１２０は、融着後、熱収縮チューブ４００により覆われていた部分に小径部１２７を形成し、熱収縮チューブ４００により覆われなかった部分（小径部１２７よりも先端側）に境界部１２８を形成し、境界部１２８の先端側に大径部１２６を形成する。【００７２】
作業者は、各シャフト１２０、１３０、１４０を融着した後、内側シャフト１４０の内腔１４５から第１マンドレル３１０を抜去する。作業者は、例えば、内側シャフト１４０の内腔１４５から第１マンドレル３１０を抜去する作業とは順不同で、外側先端シャフト１２０の内腔１２５および外側基端シャフト１３０の内腔１３５から第２マンドレル３２０を抜去することができる。なお、図示例では、作業者は、融着後に各マンドレル３１０、３２０を抜去している。【００７３】
次に、作業者は、図７に示すように、内側シャフト１４０の基端部（基端１４３を含む基端側の一定の範囲）を内側シャフト１４０の第１領域１５０Ａおよび内側シャフト１４０の第２領域１５０Ｂに亘って斜めに切断する（切断位置の例を図７の破線ｃ１で示す）。なお、作業者が内側シャフト１４０の基端部（基端１４３を含む基端側の一定の範囲）を内側シャフト１４０の第１領域１５０Ａおよび内側シャフト１４０の第２領域１５０Ｂに亘って斜めに切断する前に、熱収縮チューブ４００は抜去される。図７は、図６（Ｃ）の破線部７Ａで囲んだ部分の拡大断面図であり、切断位置を示すための図である。【００７４】
作業者は、上記のように内側シャフト１４０を切断することにより、内側シャフト１４０の第１領域１５０Ａから内側シャフト１４０の第２領域１５０Ｂに向かって傾斜する傾斜部１４６を形成する（図３を参照）。この際、作業者は、傾斜部１４６の第２領域１５０Ｂの軸方向の長さＬ２が傾斜部１４６の第１領域１５０Ａの軸方向の長さＬ３よりも短くなるように内側シャフト１４０を切断する（図３を参照）。【００７５】
作業者は、上記のように内側シャフト１４０を切断することにより、内側シャフト１４０に基端開口部１０５を形成する（図３を参照）。また、この際、作業者は、外側基端シャフト１３０と固定されていない未固定部１４７を内側シャフト１４０の基端開口部１０５の周縁部１０５ａに形成する（図４を参照）。【００７６】
また、作業者は、上記のように内側シャフト１４０を切断することにより、図４に示すように、第２領域１５０Ｂに位置する未固定部１４７に平坦部１４７ａを形成し、基端開口部１０５の周縁部１０５ａにおいて内腔１４５を挟んで未固定部１４７と対向する位置に対向部１４８を形成し、さらに対向部１４８と未固定部１４７を繋ぐ側壁部１４９ａ、１４９ｂを形成する。【００７７】
各側壁部１４９ａ、１４９ｂは、内側シャフト１４０の第１領域１５０Ａおよび第２領域１５０Ｂに跨って形成される。また、内側シャフト１４０の基端開口部１０５の各側壁部１４９ａ、１４９ｂは、対向部１４８から平坦部１４７ａに向かって肉厚および図４に示す幅Ｗ２が増加する。【００７８】
内側シャフト１４０の切断作業は、例えば、内側シャフト１４０を切断可能な刃部等が設けられた公知の工具で行うことができる。【００７９】
なお、内側シャフト１４０の切断位置や切断角度（切断方向）は特に限定されない。本実施形態では、基端開口部１０５の周縁部１０５ａに平坦部１４７ａが形成される所定の位置および角度で内側シャフト１４０を切断しているが、例えば、作業者は、内側シャフト１４０の基端開口部１０５が傾斜した断面形状とならないように、内側シャフト１４０の軸方向に対して略垂直に内側シャフト１４０を切断してもよい。【００８０】
作業者は、以上の各工程を実施することにより、第１領域１５０Ａおよび第２領域１５０Ｂが形成された内側シャフト１４０と、外側先端シャフト１２０および外側基端シャフト１３０により構成された外側シャフト１１０と、を備えるシャフト１００を製造できる。【００８１】
次に、本実施形態に係るバルーンカテーテル１０の作用、およびシャフト１００の製造方法の作用を説明する。【００８２】
本実施形態に係るバルーンカテーテル１０は、内側シャフト１４０と、内側シャフト１４０の一部を覆う外側シャフト１１０と、内側シャフト１４０と外側シャフト１１０に固定されたバルーン１６０と、を備えている。外側シャフト１１０は、内腔１２５を有する外側先端シャフト１２０と、外側先端シャフト１２０の基端側に固定され、かつ、外側先端シャフト１２０の内腔１２５と連通する内腔１３５を有する外側基端シャフト１３０と、を有している。また、内側シャフト１４０は、先端側が外側先端シャフト１２０の内腔１２５に配置され、かつ、基端側が外側基端シャフト１３０の外表面に配置されており、当該内側シャフト１４０は、外側基端シャフト１３０の外表面側で開口する基端開口部１０５を形成している。そして、内側シャフト１４０は、外側基端シャフト１３０の外表面に配置された外側先端シャフト１２０の基端１２３から内側シャフト１４０の基端開口部１０５までの範囲において、第１領域１５０Ａと、第１領域１５０Ａの基端側に配置された第２領域１５０Ｂと、を有しており、第１領域１５０Ａは、外側基端シャフト１３０の外表面に固定されており、第２領域１５０Ｂは、外側基端シャフト１３０の外表面に固定されていない。【００８３】
上記のように構成したバルーンカテーテル１０は、内側シャフト１４０の基端側に位置する第２領域１５０Ｂが外側基端シャフト１３０の外表面に固定されていないため、ガイドワイヤ２００を内側シャフト１４０の基端開口部（ガイドワイヤポート）１０５から取り出す際などに基端開口部１０５付近に応力集中が発生するのを防止できる。これにより、バルーンカテーテル１０は、内側シャフト１４０に破断が生じるのを防止でき、内側シャフト１４０の破断に伴ってガイドワイヤ２００の操作性が低下するのを防止できる。また、バルーンカテーテル１０は、内側シャフト１４０の基端側に位置する第２領域１５０Ｂが外側基端シャフト１３０の外表面に固定されていないため、バルーンカテーテル１０が湾曲した血管等の生体管腔に送達される際、第２領域１５０Ｂがガイドワイヤ２００に追従するように容易に変形する。これにより、バルーンカテーテル１０は、ガイドワイヤ２００に対する内側シャフト１４０の追従性が向上する。【００８４】
また、上記バルーンカテーテル１０の内側シャフト１４０は、第１領域１５０Ａから第２領域１５０Ｂに向かって傾斜する傾斜部１４６を有し、基端開口部１０５は、傾斜部１４６に形成している。このため、バルーンカテーテル１０は、内側シャフト１４０の基端開口部１０５が内側シャフト１４０の軸方向に対して直交するように開口している場合に比べて基端開口部１０５の開口面積を大きく形成できる。これにより、術者は、バルーンカテーテル１０の基端開口部１０５を介してガイドワイヤ２００を容易に取り出すことができる。【００８５】
また、上記バルーンカテーテル１０の基端開口部１０５は、外側基端シャフト１３０の外表面と面する第２領域１５０Ｂの位置に未固定部１４７を有している。そして、未固定部１４７は、基端開口部１０５の周縁部１０５ａにおいて平坦部１４７ａを形成している。このため、バルーンカテーテル１０は、平坦部１４７ａにより未固定部１４７の耐キンク性が向上するため、内側シャフト１４０の内腔１４５に挿通されたガイドワイヤ２００に沿わせることで未固定部１４７が過度に屈曲した場合であっても、未固定部１４７が屈曲することを抑制する。そのため、バルーンカテーテル１０は、内側シャフト１４０の基端開口部１０５を介してガイドワイヤ２００を導出する際、ガイドワイヤ２００のコイル部等が基端開口部１０５の基端に引っ掛かるのを防止できる。これにより、術者は、ガイドワイヤ２００を容易かつ円滑に内側シャフト１４０の基端開口部１０５から取り出すことができる。【００８６】
また、上記バルーンカテーテル１０の内側シャフト１４０の平坦部１４７ａの肉厚は、先端側から基端側に向かって減少している。このような構成において、内側シャフト１４０は、内側シャフト１４０の平坦部１４７ａが形成された部分よりも先端側で外側シャフト１１０と固定される。つまり、内側シャフト１４０は、内側シャフト１４０の基端開口部１０５の周縁部１０５ａに形成した平坦部１４７ａの基端（基端開口部１０５の周縁部１０５ａにおいて最も肉厚が小さくなる部分）が外側シャフト１１０に固定されない。これにより、内側シャフト１４０は、平坦部１４７ａの基端に応力集中が生じるのを防止しつつ、内側シャフト１４０の平坦部１４７ａよりも先端側の比較的大きな肉厚を有する部分で応力集中による破断が生じることを好適に防止できる。【００８７】
また、上記バルーンカテーテル１０の内側シャフト１４０の基端開口部１０５は、内側シャフト１４０の内腔１４５を挟んで未固定部１４７と対向する対向部１４８と、未固定部１４７と対向部１４８を繋ぐ方向と交差する位置に形成された側壁部１４９ａ、１４９ｂと、を備えている。そして、各側壁部１４９ａ、１４９ｂは、対向部１４８から平坦部１４７ａに向かって肉厚が増加している。【００８８】
上記のように構成したバルーンカテーテル１０は、基端開口部１０５の周縁部１０５ａの基端側に向けて各側壁部１４９ａ、１４９ｂの肉厚が増加する。そのため、バルーンカテーテル１０は、内側シャフト１４０の未固定部１４７よりも先端側で、各側壁部１４９ａ、１４９ｂの肉厚を増加させることにより、内側シャフト１４０の基端開口部１０５の周縁部１０５ａを補強することができる。これにより、バルーンカテーテル１０は、未固定部１４７よりも先端側で内側シャフト１４０の各側壁部１４９ａ、１４９ｂに応力集中が生じた際に、基端開口部１０５の周縁部１０５ａ付近で内側シャフト１４０が破断することを防止できる。なお、傾斜部１４６により基端開口部１０５が形成される場合、内側シャフト１４０の基端部は、先端側から基端側に向かって、内側シャフト１４０の軸方向に対して直交する断面における面積が減少する。そのため、バルーンカテーテル１０は、内側シャフト１４０の未固定部１４７よりも先端側で、各側壁部１４９ａ、１４９ｂの肉厚を増加させることにより、基端開口部１０５の開口面積を大きく形成しつつ、内側シャフト１４０の基端開口部１０５の周縁部１０５ａを補強することができる。【００８９】
また、上記バルーンカテーテル１０の傾斜部１４６の第２領域１５０Ｂの軸方向の長さは、内側シャフト１４０の軸方向の断面において、傾斜部１４６の第１領域１５０Ａの軸方向の長さよりも短い。【００９０】
上記のように構成したバルーンカテーテル１０は、内側シャフト１４０が傾斜部１４６において外側シャフト１１０と軸方向に接触する長さが長くなる。そのため、バルーンカテーテル１０は、傾斜部１４６における内側シャフト１４０と外側シャフト１１０との間の固定力を向上させつつ、未固定部１４７により内側シャフト１４０の基端開口部１０５の周縁部１０５ａへの応力集中を軽減することができる。例えば、バルーンカテーテル１０は、内側シャフト１４０の対向部１４８にガイドワイヤ２００が接触した際、未固定部１４７により内側シャフト１４０の基端部と外側基端シャフト１３０との間に発生する応力集中を軽減することができる。これにより、バルーンカテーテル１０は、内側シャフト１４０の基端開口部１０５付近で応力集中が生じた際に、基端開口部１０５付近で内側シャフト１４０又は外側基端シャフト１３０が破断するのをより一層好適に防止できる。【００９１】
また、上記バルーンカテーテル１０の外側先端シャフト１２０は、所定の外径で形成された大径部１２６を有し、第１領域１５０Ａおよび第２領域１５０Ｂに対応する部分で外側シャフト１１０および内側シャフト１４０が形成する外径は、大径部１２６の外径よりも小さい。【００９２】
術者等は、バルーンカテーテル１０を血管等の生体管腔へ挿入する際、例えば、一つのカテーテル（公知のガイディングカテーテル等）を利用して、バルーンカテーテル１０とともに他の医療デバイス（例えば、バルーンカテーテルとは別のバルーンカテーテルや画像診断に用いられるカテーテルデバイス等）を挿入することがある。この際、バルーンカテーテル１０の基端開口部１０５付近の外径が過度に大きく形成されていると、カテーテル内においてバルーンカテーテル１０と他の医療デバイスが干渉してしまい、両者の円滑な移動が妨げられることがある。バルーンカテーテル１０は、上記のように第１領域１５０Ａおよび第２領域１５０Ｂに対応する部分で外側シャフト１１０および内側シャフト１４０が形成する外径が外側先端シャフト１２０の大径部１２６の外径と比較して小さく形成されているため、カテーテルの内腔で他の医療デバイスと干渉するのを好適に防止できる。【００９３】
本実施形態に係るシャフト１００の製造方法は、外側先端シャフト１２０と、外側基端シャフト１３０と、内側シャフト１４０と、内側シャフト１４０の内腔１４５に配置する第１マンドレル３１０と、外側先端シャフト１２０の内腔１２５および外側基端シャフト１３０の内腔１３５に配置される第２マンドレル３２０と、を供給する。また、当該製造方法は、外側先端シャフト１２０の内腔１２５に内側シャフト１４０を配置し、内側シャフト１４０の内腔１４５に第１マンドレル３１０を挿入し、内側シャフト１４０の先端側が外側先端シャフト１２０の内腔１２５に配置され、かつ、内側シャフト１４０の基端側が外側基端シャフト１３０の外表面に配置されるように外側基端シャフト１３０を配置し、外側先端シャフト１２０の内腔１２５および外側基端シャフト１３０の内腔１３５に第２マンドレル３２０を挿入し、外側先端シャフト１２０の基端１２３、外側基端シャフトの先端１３１、内側シャフト１４０を覆うように熱収縮チューブ４００を配置し、熱収縮チューブ４００の基端４０３は、内側シャフト１４０の基端１４３よりも先端側に位置させる。そして、当該製造方法は、熱収縮チューブ４００に熱を付与して収縮させ、内側シャフト１４０の基端１４３に熱収縮チューブ４００による融着を施さない状態で、外側先端シャフト１２０と外側基端シャフト１３０と内側シャフト１４０とを融着する、ことを含む。【００９４】
上記のシャフト１００の製造方法は、内側シャフト１４０と外側シャフト１１０を融着する際、内側シャフト１４０の基端１４３には熱収縮チューブ４００による融着が施されないため、内側シャフト１４０の基端１４３が外側基端シャフト１３０の外表面に固定されない。これにより、上記製造方法により製造されるシャフト１００は、ガイドワイヤ２００を内側シャフト１４０の基端開口部１０５から取り出す際などに、内側シャフト１４０の基端１４３付近に応力集中が発生するのを防止できる。また、上記製造方法により製造されるシャフト１００は、湾曲した血管等の生体管腔に送達される際、内側シャフト１４０の基端１４３付近がガイドワイヤ２００に追従するように容易に変形するため、ガイドワイヤ２００に対する内側シャフト１４０の追従性を高めることができる。【００９５】
また、上記のシャフト１００の製造方法において、外側先端シャフト１２０と外側基端シャフト１３０と内側シャフト１４０とを融着した後、内側シャフト１４０は、外側シャフト１１０の外表面に配置された外側先端シャフト１２０の基端１２３から内側シャフト１４０の基端１４３までの範囲において、内側シャフト１４０と外側基端シャフト１３０が融着された第１領域１５０Ａと、第１領域１５０Ａの基端側に配置され、内側シャフト１４０と外側基端シャフト１３０が融着されていない第２領域１５０Ｂと、を有している。そして、当該製造方法は、内側シャフト１４０の基端部を第１領域１５０Ａおよび第２領域１５０Ｂに亘って斜めに切断し、第１領域１５０Ａから第２領域１５０Ｂに向かって傾斜する傾斜部１４６を形成することを含む。【００９６】
上記のシャフト１００の製造方法は、内側シャフト１４０の基端１４３を第１領域１５０Ａおよび第２領域１５０Ｂに亘って斜めに切断することにより、第１領域１５０Ａから第２領域１５０Ｂに向かって傾斜する傾斜部１４６を形成する。さらに、上記製造方法は、内側シャフト１４０の第１領域１５０Ａと内側シャフト１４０の第２領域１５０Ｂに亘って内側シャフト１４０の基端開口部１０５を形成する。上記製造方法により製造されるシャフト１００は、内側シャフト１４０の基端開口部１０５が内側シャフト１４０の軸方向に対して直交するように開口している場合に比べて基端開口部１０５の開口面積が大きくなるため、術者は、バルーンカテーテル１０の基端開口部１０５を介してガイドワイヤ２００を容易に取り出すことが可能になる。また、基端開口部１０５の基端は、内側シャフト１４０が外側シャフト１１０と固定されていない第２領域１５０Ｂに含まれるため、シャフト１００は、内側シャフト１４０の基端開口部１０５の基端で応力集中が生じるのを防止できる。これにより、シャフト１００は、内側シャフト１４０の基端開口部１０５付近で応力集中による破断が生じるのを好適に防止できる。【００９７】
また、上記のシャフト１００の製造方法は、内側シャフト１４０の基端部を切断する前に、内側シャフト１４０の内腔１４５から第１マンドレル３１０を抜去することを含む。このため、当該製造方法は、内側シャフト１４０を切断する際に、第１マンドレル３１０により切断作業の円滑な進行が妨げられるのを防止できる。これにより、シャフト１００を製造する作業者は、内側シャフト１４０の基端部を第１領域１５０Ａおよび第２領域１５０Ｂに亘って所定の形状に容易に切断できる。【００９８】
また、上記のシャフト１００の製造方法は、内側シャフト１４０の基端部を切断し、第１領域１５０Ａから第２領域１５０Ｂに向かって傾斜する傾斜部１４６を形成する際、内側シャフト１４０の軸方向の断面において、傾斜部１４６の第２領域１５０Ｂの軸方向の長さが傾斜部１４６の第１領域１５０Ａの軸方向の長さよりも短くなるように内側シャフト１４０を切断する。【００９９】
上記のシャフト１００の製造方法により製造されるシャフト１００は、内側シャフト１４０の傾斜部１４６が第１領域１５０Ａにおいて外側シャフト１１０と軸方向に接触する長さが長くなる。そのため、バルーンカテーテル１０は、傾斜部１４６における内側シャフト１４０と外側シャフト１１０との間の固定力を向上させつつ、未固定部１４７により内側シャフト１４０の基端開口部１０５の周縁部１０５ａへの応力集中を軽減することができる。例えば、バルーンカテーテル１０は、内側シャフト１４０の対向部１４８にガイドワイヤ２００が接触した際、未固定部１４７により内側シャフト１４０の基端部と外側基端シャフト１３０との間に発生する応力集中を軽減することができる。これにより、シャフト１００は、内側シャフト１４０の基端開口部１０５付近で応力集中が生じた際に、基端開口部１０５付近で内側シャフト１４０又は外側基端シャフト１３０が破断することをより一層好適に防止できる。【０１００】
以上、実施形態を通じて本発明に係るバルーンカテーテルおよび医療用長尺体の製造方法を説明したが、本発明は特許請求の範囲の記載に基づいて種々改変することができ、説明した各実施形態の内容のみに限定されることはない。【０１０１】
例えば、実施形態等において説明したバルーンカテーテルの構造や部材の配置等は適宜変更することができ、図示により説明した付加的な部材の使用の省略や、特に説明されなかったその他の付加的な部材の使用等も適宜に行い得る。同様に、医療用長尺体の製造方法に関する各工程や製造に使用される器具等についても適宜変更し得る。【０１０２】
本出願は、２０１７年３月３１日に出願された日本国特許出願第２０１７−０７２８１５号に基づいており、その開示内容は、参照により全体として引用されている。
【符号の説明】
【０１０３】
１０  バルーンカテーテル、
１００  シャフト（医療用長尺体）、
１０５  基端開口部（内側シャフトの基端開口部）、
１０５ａ  周縁部、
１１０  外側シャフト、
１１５  外側シャフトの内腔、
１２０  外側先端シャフト、
１２３  外側先端シャフトの基端、
１２５  外側先端シャフトの内腔、
１２６  大径部、
１２７  小径部、
１３０  外側基端シャフト、
１３１  外側基端シャフトの先端、
１３５  外側基端シャフトの内腔、
１４０  内側シャフト、
１４３  内側シャフトの基端
１４５  内側シャフトの内腔、
１４６  傾斜部、
１４７  未固定部、
１４７ａ  平坦部、
１４８  対向部、
１４９ａ、１４９ｂ  側壁部、
１５０Ａ  第１領域、
１５０Ｂ  第２領域、
１６０  バルーン、
２００  ガイドワイヤ、
３１０  第１マンドレル、
３２０  第２マンドレル、
４００  熱収縮チューブ、
４０１  熱収縮チューブの先端、
４０３  熱収縮チューブの基端。
【図１】
2018181315.tif 000003
【図２】
2018181315.tif 000004
【図３】
2018181315.tif 000005
【図４】
2018181315.tif 000006
【図５】
2018181315.tif 000007
【図６】
2018181315.tif 000008
【図７】
2018181315.tif 000009
【国際調査報告】
2018181315.tif 000010
2018181315.tif 000011
2018181315.tif 000012